(57)【要約】【課題】捕虫器において、使い勝手の良い構成でありながら、捕虫効率を低下させることなく大量の虫を捕獲できるようにする。【解決手段】捕虫器１は、虫１０を誘引する誘虫源としての捕虫用ランプ２と、互いの対向間隔が相対的に可変とされ、捕虫用ランプ２により誘引された虫１０を挟圧する一対の圧縮板３と、圧縮板３を挟圧動作させる駆動機構４と、圧縮板３により挟圧された虫１０を回収する虫回収部５とを備える。圧縮板３は、捕虫用ランプ２からの光により誘引されて圧縮面３１の間に入った虫１０を挟圧して殺虫又は弱らせる。その後、圧縮板３が開放され、虫回収部５に虫１０を捕獲回収する。これにより、虫１０の逃亡が防止され、効率良く虫１０を捕獲することができる。【選択図】図３
2010004785.tif 000002
【特許請求の範囲】
【請求項１】
虫を誘引する誘虫源を有し、虫を捕獲する捕虫器において、
前記誘虫源の近傍に設けられ、互いの対向間隔が相対的に可変とされ、該間隔が狭まったときに虫を挟圧する少なくとも一対の圧縮板と、
前記圧縮板を挟圧動作させる駆動機構と、
前記圧縮板により挟圧された虫を、前記駆動機構が該圧縮板を開放した後に回収する虫回収部と、を備えることを特徴とする捕虫器。
【請求項２】
前記圧縮板の互いに対向する圧縮面が、凸部を有することを特徴とする請求項１に記載の捕虫器。
【請求項３】
前記圧縮板の可動範囲を閉塞して閉空間を形成する、開閉自在な蓋部を備え、
前記蓋部によって閉空間が形成されているときに、前記駆動機構が前記圧縮板に挟圧動作を行なわせることを特徴とする請求項１又は請求項２に記載の捕虫器。
【請求項４】
前記圧縮板の圧縮面が、弾力性のある部材で構成されていることを特徴とする請求項１に記載の捕虫器。
【発明の詳細な説明】
【技術分野】
【０００１】
本発明は、誘虫源に誘引された虫を捕獲する捕虫器に関する。
【背景技術】
【０００２】
従来から、この種の捕虫器として、誘虫効果のある紫外線を含有した光を出射する捕虫用ランプと、捕虫用ランプに誘引された虫を捕獲する捕獲部とを備え、捕獲部が虫を吸着する粘着シートを有したものが知られている。しかしながら、このような粘着捕獲方式の捕虫器では、粘着シートに大量の虫が吸着すると、虫を吸着可能な粘着面積が減少し、捕虫効率が低下する。
【０００３】
また、上記捕虫器の他の形態として、粘着シートに代えて、捕虫用ランプに誘引された虫に電撃を与える電極部を有したものがある。しかしながら、このような電撃捕獲方式の捕虫器では、捕獲する虫の数量に応じて捕虫効率が低下することはないものの、虫に電撃を与える際に耳障りな電撃音が発生する。
【０００４】
また、互いに対向して配置された一対のローラを備え、ローラ間に虫を誘引して、ローラを互いに逆方向に回転させることにより、虫を引き込んで押し潰すようにした捕殺装置がある（例えば、特許文献１参照）。しかしながら、このような捕殺装置では、捕獲対象とする虫の大きさに応じてローラ同士の間隔を適宜設定する必要があり、利便性に劣る。
【特許文献１】特許第３７９８５７６号公報
【発明の開示】
【発明が解決しようとする課題】
【０００５】
本発明は、上記問題を解決するためになされたものであり、使い勝手の良い構成でありながら、静かに虫を捕獲でき、また捕虫効率を低下させることなく大量の虫を捕獲できる捕虫器を提供することを目的とする。
【課題を解決するための手段】
【０００６】
上記目的を達成するために請求項１の発明は、虫を誘引する誘虫源を有し、虫を捕獲する捕虫器において、前記誘虫源の近傍に設けられ、互いの対向間隔が相対的に可変とされ、該間隔が狭まったときに虫を挟圧する少なくとも一対の圧縮板と、前記圧縮板を挟圧動作させる駆動機構と、前記圧縮板により挟圧された虫を、前記駆動機構が該圧縮板を開放した後に回収する虫回収部と、を備えるものである。
【０００７】
請求項２の発明は、請求項１に記載の発明において、前記圧縮板の互いに対向する圧縮面が、凸部を有するものである。
【０００８】
請求項３の発明は、請求項１又は請求項２に記載の発明において、前記圧縮板の可動範囲を閉塞して閉空間を形成する、開閉自在な蓋部を備え、前記蓋部によって閉空間が形成されているときに、前記駆動機構が前記圧縮板に挟圧動作を行なわせるものである。
【０００９】
請求項４の発明は、請求項１に記載の発明において、前記圧縮板の圧縮面が、弾力性のある部材で構成されているものである。
【発明の効果】
【００１０】
請求項１の発明によれば、誘虫源により誘引された虫を圧縮板により挟圧して殺虫又は弱らしてから捕獲回収するので、静かで、捕虫効率を低下させることなく大量の虫を捕獲することができる。また、圧縮板の互いの対向間隔を虫の大きさに応じて適宜設定する必要がないので、使い勝手が良い。
【００１１】
請求項２の発明によれば、圧縮板が虫を挟圧する際に、凸部によって虫により大きなダメージを与えることができるので、殺虫能力が向上する。
【００１２】
請求項３の発明によれば、圧縮面の間に入った虫を閉空間に閉じ込めることができるので、虫の逃亡を防止でき、確実に虫を挟圧することができる。
【００１３】
請求項４の発明によれば、圧縮面同士の密着性が高くなるので、圧縮板の挟圧能力を容易に管理でき、かつ虫の逃亡防止効果が高まる。
【発明を実施するための最良の形態】
【００１４】
（第１の実施形態）
本発明の第１の実施形態に係る捕虫器について図１乃至図３を参照して説明する。図１は本実施形態に係る捕虫器１の構成を示す。捕虫器１は、飛翔性を持つ昆虫を誘引し、これら虫を捕獲するものであって、虫の多い屋外空間や、屋外空間に面した建物内の空間等に設置される。捕虫器１は、虫１０を誘引する誘虫源としての捕虫用ランプ２と、捕虫用ランプ２により誘引された虫を挟圧する一対の圧縮板３と、圧縮板３を挟圧動作させる駆動機構４と、圧縮板３により挟圧された虫１０を回収する虫回収部５とを備える。
【００１５】
捕虫用ランプ２は、紫外線を含有する光を出射する直管型ランプであって、該ランプ２の出射光に含まれる紫外線は、虫の走光曲線又は視感度曲線に基づいて設定されており、高い誘虫効果を有している。捕虫用ランプ２は、圧縮板３の上方近傍において、該ランプ２の中心が圧縮面３１の間の略中央に位置するように配されている。
【００１６】
圧縮板３は、互いの対向間隔が相対的に可変とされ、該間隔が狭まったときに虫１０を挟圧するようになっている。圧縮板３は、捕虫用ランプ２の長手方向に沿って延在する長尺板状の部材で構成され、その長さ寸法は、捕虫用ランプ２の長さと同程度に設定され、幅寸法は多くの虫を挟圧可能な長さに設定される。また、上記部材は、ゴム等の高弾性材料で構成されており、これにより圧縮板３の互いに対向する圧縮面３１が高い弾力性を有している。また、圧縮板３は、プラスチック材料又は金属材料から成る部材で構成され、その部材の圧縮面３１側が高弾性材料で成る部材を有するものであってもよい。圧縮板３の一端部には、上述の駆動機構４が設けられている。
【００１７】
虫回収部５は、圧縮板３が開放された後に圧縮板３から落下する虫１０を回収できるように、上方が開口された箱型形状となっており、圧縮板３の下方に設けられている。虫回収部５は、開放された状態にある圧縮板３の外郭よりも大きいものであれば、その形状及び材質は特に限定されるものではない。
【００１８】
図２は、駆動機構４の構成例を示す。駆動機構４は、圧縮板３の各々から互いに他方の圧縮板３に向かって延在し、歯が互いに対向するように配された一対のラック４１と、ラック４１の各々と噛み合わされるギア４２と、ギア４２に貫入固定されるモータ４３とで構成される。このような構成により、モータ４３の回転がギア４２を介してラック４１に伝達されると、圧縮板３の各々が互いに反対方向に移動するようになり、モータ４３が正転と逆転を繰り返し行なうことで、圧縮板３の挟圧動作が行なわれる。ここで、駆動機構４による圧縮板３の挟圧動作サイクルは、３Ｈｚ以下であることが望ましい。また、駆動機構４による圧縮板３の挟圧能力は、１ｋｇ／ｃｍ２〜１０ｋｇ／ｃｍ２であって、特に１ｋｇ／ｃｍ２〜７ｋｇ／ｃｍ２であること望ましい。
【００１９】
上記のように構成された捕虫器１の動作について説明する。図３（ａ）乃至（ｄ）は、上記動作を時系列に示す。ここでは、ユーザにより本器１の電源が投入されて、捕虫用ランプ２が点灯し、併せて駆動機構による圧縮板３の挟圧動作が繰り返し行なわれているものとする。図３（ａ）に示すように、本器１の周辺に居る虫１０は、捕虫用ランプ２から出射された光により誘引され、圧縮板３の圧縮面３１の間に入ってくる。図３（ｂ）に示すように、圧縮板３が挟圧動作を行なうと、圧縮面３１の間に入った虫１０は圧縮板３に挟圧される。図３（ｃ）に示すように、圧縮板３が挟圧動作を完了すると、圧縮板３は開放動作を開始する。図３（ｄ）に示すように、圧縮板３が所定の位置まで開放されると、圧縮板３に挟圧された虫１０は落下し、虫回収部５に回収される。
【００２０】
以上、本実施形態に係る捕虫器１によれば、捕虫用ランプ２により誘引された虫１０を圧縮板３により挟圧して殺虫又は弱らしてから捕獲回収するので、静かで、捕虫効率を低下させることなく大量の虫１０を捕獲することができる。また、圧縮板３の互いの対向間隔を虫１０の大きさに応じて適宜設定する必要がないので、使い勝手が良い。また、圧縮面３１の密着性が高くなるので、圧縮板３の挟圧能力を容易に管理でき、かつ虫１０の逃亡防止効果が高まる。
【００２１】
次に、第１の実施形態の捕虫器に用いられる圧縮板の種々の変形例について図４及び図５を参照して説明する。図４に示す本器の圧縮板３は、互いの圧縮面３１に向かって突出する略方形状の凸部３２を有している。凸部３２は具体的に、互いの圧縮面３１に凹凸加工が施されることによって形成され、これにより圧縮板３の長手方向に沿って凸部３２と凹部３３とが連続して複数形成される。凸部３２と凹部３３は、圧縮板３の幅方向において、互いの圧縮面３１に対して入れ違いになるように配されている。圧縮板３の幅方向における凸部３２同士の間隔は、捕虫対象とする虫の体長よりも小さく設定される。また、このような構成の場合、駆動機構４による圧縮板３の挟圧能力は、１ｋｇ／ｃｍ２〜１０ｋｇ／ｃｍ２であって、特に１ｋｇ／ｃｍ２〜７ｋｇ／ｃｍ２であること望ましい。これにより、圧縮板３が虫を挟圧する際に、凸部３２によって虫により大きなダメージを与えることができるので、殺虫能力が向上する。
【００２２】
また、図５に示す本器の圧縮板３は、突出した先端が尖った形状とされた凸部３４及び凹部３５を有しており、これらは上述と同様に形成される。このような構成により、殺虫能力がさらに向上する。
【００２３】
（第２の実施形態）
本発明の第２の実施形態に係る捕虫器について図６乃至図７を参照して説明する。図６は本実施形態に係る捕虫器１の構成を示す。本実施形態において、捕虫器１は、圧縮板３の可動範囲を閉塞して閉空間６を形成する蓋部７と、蓋部７を開閉動作させるスライド機構８とをさらに備える。蓋部７は、開放された状態にある圧縮板３の外郭よりも大きい板状部材で成り、開閉自在である。蓋部７の形状及び材質は、特に限定されるものではない。蓋部７は、圧縮板３と捕虫用ランプ２との間、及び圧縮板３と虫回収部５との間にそれぞれ設けられている。
【００２４】
スライド機構８は、蓋部７を機器１の側方にスライドさせるものであり、該機構８としては、例えばリニアモータ等を用いたものが挙げられる。ここで、本実施形態の駆動機構４は、蓋部７の開閉動作と連動するように構成されており、蓋部７によって閉空間６が形成されているときに、圧縮板３に挟圧動作を行なわせるようになっている。他の構成については、第１の実施形態と同様である。
【００２５】
上記のように構成された捕虫器１の作用について説明する。図７（ａ）乃至（ｆ）は、上記作用を時系列に示す。ここでは、ユーザにより本器１の電源が投入されて、捕虫用ランプ２が点灯し、併せて駆動機構４による圧縮板３の挟圧動作と、スライド機構８による蓋部７の開閉動作とが繰り返し行なわれているものとする。図７（ａ）に示すように、蓋部７が開いた状態にあるとき、本器１の周辺に居る虫１０は、捕虫用ランプ２から出射された光により誘引され、圧縮面３１の間に入ってくる。ここで、蓋部７は、圧縮板３が完全に開放された状態にあるときに、閉動作を開始するようになっている。図７（ｂ）に示すように、蓋部７が閉じた状態になると、圧縮板３の可動範囲が閉塞されて閉空間６が形成され、圧縮面３１の間に入った虫１０は該閉空間６に閉じ込められる。このとき、圧縮板３は挟圧動作を開始する。
【００２６】
図７（ｃ）に示すように、圧縮面３１の間に入った虫１０は、圧縮板３に挟圧される。図７（ｄ）に示すように、圧縮板３が挟圧動作を完了すると、蓋部７は開動作を開始する。図７（ｅ）に示すように、蓋部７が開いた状態となると、圧縮板３は開放動作を開始する。図７（ｆ）に示すように、圧縮板３が所定の位置まで開放されると、圧縮板３に挟圧された虫１０は落下し、虫回収部５に回収される。
【００２７】
以上、本実施形態に係る捕虫器１によれば、圧縮面３１の間に入った虫を閉空間６に閉じ込めることができるので、虫１０の逃亡を防止でき、確実に虫１０を挟圧することができる。
【００２８】
なお、本発明は、上記各種実施形態の構成に限られず、発明の趣旨を変更しない範囲で種々の変形が可能である。例えば、上述の実施形態では、誘虫源として捕虫用ランプ２を用いる例を示したが、これに限られず、多糖類等の誘引物質を用いて虫を誘引するようにしてもよい。また、駆動機構４の構成としては、上述のようなモータ式の機構の他に、バネ式や電磁マグネット式の機構等が挙げられる。
【図面の簡単な説明】
【００２９】
【図１】本発明の第１の実施形態に係る捕虫器の斜視図。
【図２】上記捕虫器の駆動機構の正面図。
【図３】（ａ）乃至（ｄ）は上記捕虫器の動作を時系列に示す図。
【図４】上記捕虫器の圧縮板の変形例を示す斜視図。
【図５】上記圧縮板の他の変形例を示す斜視図。
【図６】本発明の第２の実施形態に係る捕虫器の斜視図。
【図７】（ａ）乃至（ｆ）は上記捕虫器の動作を時系列に示す図。
【符号の説明】
【００３０】
１  捕虫器
２  捕虫用ランプ（誘虫源）
３  圧縮板
４  駆動機構
５  虫回収部
６  閉空間
７  蓋部
１０  虫
３１  圧縮面
３２、３４  凸部
【図１】
2010004785.tif 000003
【図２】
2010004785.tif 000004
【図３】
2010004785.tif 000005
【図４】
2010004785.tif 000006
【図５】
2010004785.tif 000007
【図６】
2010004785.tif 000008
【図７】
2010004785.tif 000009